【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
電子装置の盗難を抑止するための方法であって、
装置が紛失された旨の指示に応答して、前記装置の受信機によって、ネットワークを介してリモートで前記装置をターゲットとする使用不能信号を受信するステップと、
前記使用不能信号の受信に応答して、前記装置を破壊することなしに取り外すことのできない前記装置の構成要素を介して、前記装置を電子的に使用不能にするステップと、
前記使用不能信号の受信に応答して、前記装置から、前記装置に対応するＴＣＰ／ＩＰルーティング情報を送信するステップとを備えたことを特徴とする方法。
【請求項２】
前記ネットワークは、無線ネットワーク、無線同報通信ネットワーク、およびＳＰＯＴ（Ｓｍａｒｔ  Ｐｅｒｓｏｎａｌ  Ｏｂｊｅｃｔｓ  Ｔｅｃｈｎｏｌｏｇｙ）ネットワークのうちの、少なくとも１つであることを特徴とする請求項１に記載の方法。
【請求項３】
前記使用不能信号の受信に応答して、前記装置のディスプレイによってメッセージを表示するステップをさらに備えたことを特徴とする請求項１に記載の方法。
【請求項４】
前記使用不能にするステップは、前記装置内の少なくとも１つの接続の状態を、（ａ）オープンからクローズに、および（ｂ）クローズからオープンに、のうちの１つで変更することによって、前記装置を電子的に使用不能にするステップとを含むことを特徴とする請求項１に記載の方法。
【請求項５】
前記使用不能にするステップは、前記装置の少なくとも１つのサブコンポーネントを電子的に使用不能にするステップを含むことを特徴とする請求項１に記載の方法。
【請求項６】
前記構成要素はプロセッサであり、前記使用不能にするステップは、前記プロセッサの少なくとも一部の動作を使用不能にすることによって、前記装置を電子的に使用不能にするステップを含むことを特徴とする請求項１に記載の方法。
【請求項７】
前記装置の動作を再度実行可能にするために、予め定められたコードを前記装置にローカルで入力するステップをさらに備えたことを特徴とする請求項１に記載の方法。
【請求項８】
（ａ）平文、（ｂ）少なくとも一部分を暗号化、および（ｃ）所定のフォーマットに従って符号化のうちの少なくとも１つを用いて前記使用不能信号を送信するステップをさらに含むことを特徴とする請求項１に記載の方法。
【請求項９】
請求項１に記載の方法を実行するためのコンピュータ実行可能命令を有するコンピュータ実行可能モジュールを備えることを特徴とするコンピュータ読取り可能媒体。
【請求項１０】
請求項１に記載の方法を実行するための手段を備えることを特徴とするコンピューティング装置。
【請求項１１】
装置をターゲットとしたネットワークを介してメッセージを受信することに関連付けられたタイムアウト条件に応答して、前記装置を破壊しなければ取り外すことのできない前記装置の構成要素によって、前記装置を電子的に使用不能にするステップと、
前記タイムアウト条件に応答して、前記装置から、前記装置に対応するＴＣＰ／ＩＰルーティング情報を送信するステップと
を備えたことを特徴とする、電子装置の盗難を抑止するための方法。
【請求項１２】
前記ネットワークは、無線ネットワーク、無線同報通信ネットワーク、およびＳＰＯＴ（Ｓｍａｒｔ  Ｐｅｒｓｏｎａｌ  Ｏｂｊｅｃｔｓ  Ｔｅｃｈｎｏｌｏｇｙ）ネットワークのうちの少なくとも１つであることを特徴とする請求項１１に記載の方法。
【請求項１３】
前記タイムアウト条件に応答して、前記装置のディスプレイを介してメッセージを表示するステップをさらに備えたことを特徴とする請求項１１に記載の方法。
【請求項１４】
前記使用不能にするステップは、前記装置内の少なくとも１つの接続の状態を、（ａ）オープンからクローズに、および（ｂ）クローズからオープンにのうちの１つで変更することによって、前記装置を電子的に使用不能にするステップを含むことを特徴とする請求項１１に記載の方法。
【請求項１５】
前記使用不能にするステップは、前記装置の少なくとも１つのサブコンポーネントを電子的に使用不能にするステップを含むことを特徴とする請求項１１に記載の方法。
【請求項１６】
前記構成要素はプロセッサであり、前記使用不能にするステップは、前記プロセッサの少なくとも一部の動作を使用不能にすることによって、前記装置を電子的に使用不能にするステップを含むことを特徴とする請求項１１に記載の方法。
【請求項１７】
請求項１１に記載の方法を実行するためのコンピュータ実行可能命令を有するコンピュータ実行可能モジュールを備えることを特徴とするコンピュータ読取り可能媒体。
【請求項１８】
請求項１１に記載の方法を実行するための手段を備えることを特徴とするコンピューティング装置。
【請求項１９】
電子装置の盗難を抑止するための方法であって、
装置が紛失された旨の指示を受信することに応答して、前記装置に関連付けられた固有の識別子をリストに追加するステップと、
少なくとも１つの予め定められた規則に従って、ネットワークの少なくとも１つの送信機を介して前記装置をターゲットとする使用不能メッセージを定期的に同報通信するステップとを備え、
その結果、前記使用不能メッセージを受信することに応答して、前記装置は、前記装置を破壊しなければ取り外すことのできない前記装置の構成要素によって、前記装置を使用不能にし、さらに前記使用不能メッセージを受信することに応答して、前記装置は、前記装置に対応するＴＣＰ／ＩＰルーティング情報を送信することを特徴とする方法。
【請求項２０】
前記ネットワークは、無線ネットワーク、無線同報通信ネットワーク、およびＳＰＯＴ（Ｓｍａｒｔ  Ｐｅｒｓｏｎａｌ  Ｏｂｊｅｃｔｓ  Ｔｅｃｈｎｏｌｏｇｙ）ネットワークのうちの少なくとも１つであることを特徴とする請求項１９に記載の方法。
【請求項２１】
前記装置が接続されている（ａ）前記ネットワークおよび（ｂ）第２のネットワークのうちの少なくとも１つを介して、前記装置の位置を決定するための基準を提供する情報を前記装置から受信するステップと、
前記情報に基づいて前記装置の位置を決定するステップをさらに備えたことを特徴とする請求項１９に記載の方法。
【請求項２２】
前記同報通信するステップは、（ａ）平文、（ｂ）少なくとも一部分を暗号化、および（ｃ）所定のフォーマットに従って符号化のうちの少なくとも１つを用いて前記使用不能メッセージを定期的に同報通信するステップを含むことを特徴とする請求項１９に記載の方法。
【請求項２３】
請求項１９に記載の方法を実行するためのコンピュータ実行可能命令を有するコンピュータ実行可能モジュールを備えることを特徴とするコンピュータ読取り可能媒体。
【請求項２４】
請求項１９に記載の方法を実行するための手段を備えることを特徴とするコンピューティング装置。
【請求項２５】
少なくとも１つのローカル使用不能信号を介して当該電子装置を使用不能にすることが可能な少なくとも１つの構成要素と、
前記少なくとも１つの構成要素に結合された処理構成要素と、
ネットワークを介して前記電子装置をターゲットとするリモート使用不能信号を受信するための、前記処理構成要素に通信可能に結合された受信機とを備える電子装置であって、
前記受信機の前記リモート使用不能信号の受信に応答して、前記処理構成要素は前記少なくとも１つの構成要素によって前記装置を電子的に使用不能とし、さらに前記受信機の前記リモート使用不能信号の受信に応答して、前記電子装置は、前記電子装置に対応するＴＣＰ／ＩＰルーティング情報を送信し、
前記少なくとも１つの構成要素、前記処理構成要素、および前記受信機のうちのいずれも、前記装置を破壊しなければ取り外すことができないことを特徴とする電子装置。
【請求項２６】
前記ネットワークは、無線ネットワーク、無線同報通信ネットワーク、およびＳＰＯＴ（Ｓｍａｒｔ  Ｐｅｒｓｏｎａｌ  Ｏｂｊｅｃｔｓ  Ｔｅｃｈｎｏｌｏｇｙ）ネットワークのうちの、少なくとも１つであることを特徴とする請求項２５に記載の装置。
【請求項２７】
前記リモート使用不能信号の受信に応答して、メッセージを表示するためのディスプレイをさらに備えたことを特徴とする請求項２５に記載の装置。
【請求項２８】
前記少なくとも１つの構成要素は少なくとも１つの接続であり、前記処理構成要素は、前記装置内の少なくとも１つの接続の状態を、（ａ）オープンからクローズに、および（ｂ）クローズからオープンにのうちの１つで変更することによって、前記装置を電子的に使用不能にするものであることを特徴とする請求項２５に記載の装置。
【請求項２９】
前記少なくとも１つの構成要素は前記装置の少なくとも１つのサブコンポーネントであることを特徴とする請求項２５に記載の装置。
【請求項３０】
前記少なくとも１つの構成要素は、前記処理構成要素の少なくとも一部であり、前記処理構成要素は、前記処理構成要素の前記少なくとも一部の動作を使用不能にすることによって、前記装置を電子的に使用不能にするものであることを特徴とする請求項２５に記載の装置。
【請求項３１】
前記情報は、インターネットプロトコルアドレスおよびＭＡＣ（メディアアクセスコントロール）アドレスのうちの少なくとも１つを含むことを特徴とする請求項２５に記載の装置。
【請求項３２】
前記リモート使用不能信号は、（ａ）平文、（ｂ）少なくとも一部分を暗号化、および（ｃ）所定のフォーマットに従って符号化のうちの少なくとも１つを用いて符号化されることを特徴とする請求項２５に記載の装置。
【請求項３３】
コンピューティング装置であって、
前記装置がネットワークを介してリモートで前記装置をターゲットとする使用不能信号を受信する手段と、
前記使用不能信号の受信に応答して、前記装置を破壊しなければ取り外すことのできない前記装置の構成要素によって前記装置を電子的に使用不能にする手段と
前記使用不能信号の受信に応答して、前記装置から、前記装置に対応するＴＣＰ／ＩＰルーティング情報を送信する手段と
を備えたことを特徴とするコンピューティング装置。
【請求項３４】
コンピューティング装置であって、
ネットワークを介して前記装置をターゲットとするメッセージを受信することに関連付けられたタイムアウト条件に応答して、前記装置を破壊しなければ取り外すことのできない前記装置の構成要素によって、前記装置を電子的に使用不能にする手段と、
前記タイムアウト条件に応答して、前記装置から、前記装置に対応するＴＣＰ／ＩＰルーティング情報を送信する手段と
を備えたことを特徴とするコンピューティング装置。